(57)【要約】【課題】  ケースの前方突出部を取り除くことで、洗濯物の収納及び引出を容易にし、洗濯槽が直立する通常の洗濯機とのケースの共用ができるようにして洗濯機の製造費用を減らし、部品の組立を容易にする傾斜式洗濯槽を有する洗濯機を提供することである。【解決手段】  ケース４と、前記ケース４の内部に、前方上側部が前記ケース４の前面部側に一定角度に傾いて取り付けられ、洗濯水を貯蔵する外槽６及び前記外槽６の内部に設けられ、洗濯物を洗濯する内槽８からなる洗濯槽５と、前記内槽８を回転させる駆動手段１２とを含んでなる、傾斜式洗濯槽を有する洗濯機において、前記ケース４の後面部に設けられた開口部２０と、外側に膨出部２４が形成され、前記開口部２０に被せられるバックカバー２２とを含んで構成する。【選択図】      図１
2004160259.tif 000002
【特許請求の範囲】
【請求項１】
ケースと、前記ケースの内部に、前方上側部が前記ケースの前面部側に一定角度に傾いて取り付けられ、洗濯水を貯蔵する外槽及び前記外槽の内部に設けられ、洗濯物を洗濯する内槽からなる洗濯槽と、前記内槽を回転させる駆動手段とを含んでなる、傾斜式洗濯槽を有する洗濯機において、前記ケースの後面部に設けられた開口部と、外側に膨出部が形成され、前記開口部に被せられるバックカバーとを含んでなることを特徴とする傾斜式洗濯槽を有する洗濯機。
【請求項２】
前記ケースは前面部が平坦な垂直面で形成されることを特徴とする請求項１記載の傾斜式洗濯槽を有する洗濯機。
【請求項３】
前記ケースは、後面部が開放され、前面部及び両側面部が“コ”字形に形成された本体と、前記本体の後面部の上側に取り付けられるアッパープレートと、前記本体の後面部の下側に取り付けられたロアープレートとから構成され、前記開口部は前記アッパープレートと前記ロアープレートとの間に設けられることを特徴とする請求項１記載の傾斜式洗濯槽を有する洗濯機。
【請求項４】
前記バックカバーの膨出部は梯形に形成されることを特徴とする請求項１記載の傾斜式洗濯槽を有する洗濯機。
【請求項５】
前記バックカバーの膨出部の内面には、前記外槽の突出部が接触する場合、衝撃を緩和するための緩衝部材が付着されることを特徴とする請求項１記載の傾斜式洗濯槽を有する洗濯機。
【請求項６】
前記ケースの開口部の上側部に、前記バックカバーの上側部と結合される第１係止突出部が設けられ、前記開口部の下側部に、前記バックカバーの下側部と結合される第２係止突出部が設けられることを特徴とする請求項１記載の傾斜式洗濯槽を有する洗濯機。
【請求項７】
前記バックカバーの上側部に、前記第１係止突出部と結合されるクリップ部が設けられることを特徴とする請求項６記載の傾斜式洗濯槽を有する洗濯機。
【請求項８】
前記バックカバーの上側部には、バックカバーの組立の際に、第１係止突出部が挿通される挿入溝が設けられることを特徴とする請求項６又は７記載の傾斜式洗濯槽を有する洗濯機。
【請求項９】
一定の角度に傾いた前記外槽の後方下側部が、前記開口部を通して前記バックカバーの膨出部に突出するように形成されることを特徴とする請求項１記載の傾斜式洗濯槽を有する洗濯機。
【発明の詳細な説明】
【技術分野】
【０００１】
本発明は洗濯槽が前方に傾いた洗濯機に関するもので、より詳しくは傾いた洗濯槽が内蔵されるケースの構造を、直立した洗濯槽が内蔵されるケースの構造と同じに成形することにより、容量帯別に洗濯機の共用化が可能であり、ケースの製造が簡便であり、洗濯槽の組立が容易である傾斜式洗濯槽を有する洗濯機に関するものである。
【背景技術】
【０００２】
一般に、傾斜式洗濯機は、洗濯槽が前方に一定角度だけ傾いているので、使用者が洗濯物をより便利に引き出すことができ、傾いた角度の分使用水量を減らし得る便利性及び節水性能を向上させた洗濯機である。
図５は従来技術による傾斜式洗濯機の断面図である。
【０００３】
従来技術による傾斜式洗濯槽を有する洗濯機は、外観を構成し、上側にカバー１０２が装着されたケース１０４と、前記ケース１０４に一定角度だけ傾いて内蔵され、洗濯水が貯蔵される外槽１０６及び前記外槽１０６に内蔵され、洗濯及び脱水作用を果たす内槽１０８からなる洗濯槽１０５と、前記外槽１０６の下側に設けられ、内槽１０８を回転させる駆動モーター１１０と、前記外槽１０６をケース１０４に吊り下げられるように支持するとともにダンピング機能を果たす吊棒１１２とから構成される。
【０００４】
前記ケース１０４には外槽１０６及び内槽１０８が前方に傾いた状態で内蔵されるため、前記ケース１０４の前面部上側には、外槽１０６の上側部が前方に傾いた角度の分突出する傾斜部１１６が設けられ、前記ケース１０４の後面部下側には、外槽１０６の後方部が傾いた角度の分突出する突出部１１８が設けられる。
【０００５】
しかし、前記従来技術による洗濯機のケース１０４は、傾斜部１１６が前方に突出するため、使用者は前記傾斜部１１６の突出距離だけ内槽１０８から離れた状態で洗濯物を投入するか引き出すことになるので不便であった。また、ケース１０４の前面部に傾斜部１１６を成形するためには、ケース１０４の側面部と前面部を別々に成形して組み立てる必要がある。また、突出部１１８が形成されたケースの後面部も別に成形して側面部に組み立てる必要があるので、ケース１０４の製作及び組立工程が複雑であった。
【０００６】
また、外槽１０６をダンピング可能に支持する吊棒１１２は一般にケース１０４の上面の４隅部に連結されるが、ケース１０４が傾いている関係で、吊棒１１２を掛けるための吊棒支持部をケース１０４の上面に形成しにくい問題点がある。
また、洗濯容量が同一である場合にも、洗濯槽が直立する一般的な洗濯機のケースを、洗濯槽が傾いた洗濯機のケースと別に製作する必要があるという問題がある。
【発明の開示】
【発明が解決しようとする課題】
【０００７】
本発明は前記問題点を解決するためになされたもので、本発明の目的は、傾いた洗濯槽を有する洗濯機において、ケースの前方に突出する部分を取り除くことで、洗濯物の収納及び引出を容易にし、洗濯槽が直立する通常の洗濯機とケースを共用可能にして洗濯機の製造費用を減らし、部品の組立を容易にする傾斜式洗濯槽を有する洗濯機を提供することにある。
【０００８】
また、本発明のほかの目的は、洗濯機のケースの後面に、各種の配線及び組立作業のために装着されるバックカバーをスライド方式でケースに組み立てることで、バックカバーの組立を容易にする傾斜式洗濯槽を有する洗濯機のケースを提供することにある。
【課題を解決するための手段】
【０００９】
前記課題を実現するための本発明による傾斜式洗濯機は、ケースと、前記ケースの内部に、前方上側部が前記ケースの前面部側に一定角度に傾いて取り付けられ、洗濯水を貯蔵する外槽及び前記外槽の内部に設けられ、洗濯物を洗濯する内槽からなる洗濯槽と、前記内槽を回転させる駆動手段とを含んでなる、傾斜式洗濯槽を有する洗濯機において、前記ケースの後面部に設けられた開口部と、外側に膨出部が形成され、前記開口部に被せられるバックカバーとを含んでなることを特徴とする。
【発明の効果】
【００１０】
したがって、本発明による傾斜式洗濯槽を有する洗濯機は、ケースの本体が直方体の形態に形成されるので、直立構造の洗濯槽を有する通常の洗濯機のケースと共用することができる利点がある。
また、傾斜式洗濯槽を有する洗濯機のケースの前面部が平坦な垂直面に形成されるので、洗濯物の収納及び引出が容易になる利点がある。
また、バックカバーの装着構造をスライド結合方式に改善したので、バックカバーの組立が容易になされる利点がある。
【発明を実施するための最良の形態】
【００１１】
以下、本発明を添付図面に基づいて詳細に説明する。
図１は本発明の実施形態による傾斜式洗濯槽を有する洗濯機の断面を示す。
同図に示すように、本発明の実施形態による傾斜式洗濯槽を有する洗濯機は、外観を構成し、上側にカバー２が装着されたケース４と、前記ケース４に内蔵され、洗濯水を貯蔵する外槽６及び前記外槽６に内蔵され、洗濯物を洗濯する内槽８からなる洗濯槽５と、前記外槽６の下側に設けられ、内槽８を回転させる駆動手段１２と、前記外槽６をケース４にダンピング可能に支持する吊棒１０とからなる。
【００１２】
前記ケース４は、図１及び図２に示すように、前面部１５と両側面部１７が略“コ”字形の横断面を有するように一体的に成形された本体と、前記“コ”字形の開口後面部の上側に装着されたアッパープレート１９と、前記アッパープレート１９の下側に、前記アッパープレート１９から離隔して装着されるロアープレート２１とから構成される。前記ケース４の下側にはベースプレート１６が装着され、ケース４の上側の４隅部には、吊棒１０をケースに連結し得るように形成された吊棒係合部１８が設けられる。前記ケース４の後面部においては、前記アッパープレート１９とロアープレート２１との間に、組立の際に、配線作業を可能にする開口部２０が設けられ、前記開口部２０を通して、駆動部１２と制御部Ｃを連結する配線作業を完了した後、バックカバー２２が前記開口部２０に被せられる。
【００１３】
前記のように構成された本発明による傾斜式洗濯槽を有する洗濯機は、前記ケース４の内部に外槽６を挿入した後、前記外槽６の前方部とケース４の前面部１５が互いに干渉しないように、吊棒１０で外槽６を傾けて設置する。この際に、前記外槽６の傾きによりケース４の後面部に突出する外槽６の下端部は前記ケース４の後面部に形成された開口部２０を通して突出するので、前記ケース４の後面部と外槽６が互いに接触しないようにし、前記開口部２０を通して配線作業を完了した後、バックカバー２２を前記ケース４に取り付ける。
【００１４】
前記バックカバー２２は樹脂材又は薄い鉄板材から製造され、前記外槽６の傾きにより後面に突出した外槽６の部位と、脱水行程の際、外槽６の振幅及び振動の大きさとを考慮して、外槽６がバックカバー２２に接触しないように後面に膨出部２４を構成する。
前記バックカバー２２の膨出部２４の上側部は外槽６の傾きに相応する傾斜面に形成され、前記膨出部２４は全体的な強度を考慮して梯形に形成されるが、バックカバーの材質による成形条件によって三角形又は円形にも成形できる。
【００１５】
また、図３に示すように、外槽６の大きい振動により、外槽６がバックカバー２２に衝突して変形させないように衝撃を緩和させるスポンジのような緩衝部材３９をバックカバー２２の膨出部２４の内部に付着することで、バックカバー２２の破損を防止する。
前記膨出部２４は、外槽６がケース４の開口部２０から突出する部位の大きさ及び形状によって多様に成形できる。
【００１６】
図４は前記バックカバー２２がケース４に組み立てられる構成を詳細に示す。ケース４の開口部２０の上側に取り付けられたアッパープレート１９の下側に、バックカバー２２の上側部が結合されるように、第１係止突出部２８が一定間隔で多数形成され、ケース４の開口部２０の下側に取り付けられたロアープレート２１の上側に、バックカバー２２の下側部が結合されるように、第２係止突出部３０が一定間隔で多数形成され、前記バックカバー２２の上側には、前記第１係止突出部２８と結合されるように、一側が開放された弾性クリップ部３４が前記第１係止突出部２８の数だけ形成される。
【００１７】
そして、前記クリップ３４間には、バックカバー２２の組立の際に、バックカバー２２のスライド距離を最小化するため、第１係止突出部２８が挿通される挿入溝３６が形成され、前記クリップ部３４の端部は第１係止突出部２８が容易に結合されるように、外側に一定角度広がっている形態に形成される。
【００１８】
このように形成されたバックカバー２２は、下側部を第２係止突出部３０に結合し、第１係止突出部２８をバックカバーの挿入溝３６に挿通した後、バックカバー２２をスライド移動させると、第１係止突出部２８がクリップ部３４に結合されることでバックカバー２２の組立が完了される。
【図面の簡単な説明】
【００１９】
【図１】本発明の実施形態による傾斜式洗濯槽を有する洗濯機の断面図である。
【図２】図１の洗濯機のケースの斜視図である。
【図３】図２のバックカバーの内側面を示す斜視図である。
【図４】本発明の実施形態によるバックカバーがケースに結合された状態を示す斜視図である。
【図５】従来の傾斜式洗濯槽を有する洗濯機の断面図である。
【符号の説明】
【００２０】
４…ケース
６…外槽
８…内槽
２０…開口部
２２…バックカバー
２４…膨出部
２８…第１係止突出部
３０…第２係止突出部
３４…クリップ部
３６…挿入溝
【図１】
2004160259.tif 000003
【図２】
2004160259.tif 000004
【図３】
2004160259.tif 000005
【図４】
2004160259.tif 000006
【図５】
2004160259.tif 000007
【手続補正書】
【提出日】平成16年4月2日(2004.4.2)
【手続補正１】
【補正対象書類名】特許請求の範囲
【補正対象項目名】全文
【補正方法】変更
【補正の内容】
【特許請求の範囲】
【請求項１】
傾斜式洗濯槽を有する洗濯機において、
後面部に開口部を有するケースと、該ケースの開口部を通じて外側に突出される後側下端部を有する洗濯槽と、
前記洗濯槽の後側下端部を収容する膨出部が形成されたバックカバーと、
前記ケースの開口部に前記バックカバーが被せられるように前記バックカバーを前記ケースの後面部に装着させる結合手段と、を含めて構成されたことを特徴とする傾斜式洗濯槽を有する洗濯機。
【請求項２】
前記結合手段は、前記ケースの開口部の上側部及び下側部の少なくともいずれか一側に形成されて前記バックカバーの上側部及び下側部の少なくともいずれか一側と結合される結合部材から構成されたことを特徴とする請求項１に記載の傾斜式洗濯槽を有する洗濯機。
【請求項３】
前記結合部材は、前記ケースの開口部の上側部及び下側部にそれぞれ形成されたことを特徴とする請求項２に記載の傾斜式洗濯槽を有する洗濯機。
【請求項４】
前記結合部材は、前記ケースの開口部の上側部に形成された第１係止突出部と前記ケースの開口部の下側部に形成された第２係止突出部から構成されたことを特徴とする請求項３に記載の傾斜式洗濯槽を有する洗濯機。
【請求項５】
前記第１係止突出部に結合されるクリップ部が前記バックカバーの上側部に形成されたことを特徴とする請求項４に記載の傾斜式洗濯槽を有する洗濯機。
【請求項６】
前記バックカバーの上側部にはバックカバーの組合せに際して前記第１係止突出部が挿通される挿入口が形成されたことを特徴とする請求項４または５に記載の傾斜式洗濯槽を有する洗濯機。
【請求項７】
前記結合部材と結合される被結合部材が前記バックカバーに形成されたことを特徴とする請求項２に記載の傾斜式洗濯槽を有する洗濯機。
【手続補正２】
【補正対象書類名】明細書
【補正対象項目名】０００９
【補正方法】変更
【補正の内容】
【０００９】
前記課題を実現するための本発明による傾斜式洗濯機は、傾斜式洗濯槽を有する洗濯機において、後面部に開口部を有するケースと、該ケースの開口部を通じて外側に突出される後側下端部を有する洗濯槽と、前記洗濯槽の後側下端部を収容する膨出部が形成されたバックカバーと、前記ケースの開口部に前記バックカバーが被せられるように前記バックカバーを前記ケースの後面部に装着させる結合手段と、を含めて構成されたことを特徴とする。